(57)【特許請求の範囲】
【請求項１】
電気炊飯器１０を収納する収納室３内の空気を送風機６で外部に排出する電気炊飯器収納庫において、
電気炊飯器１０に基準電流値以上の電流がＴ１時間以上連続して流れたら炊飯開始と判断して送風機６を運転開始し、その後に前記Ｔ１時間よりも短いＴ２時未満だけ基準電流値以上の電流が間欠的にＴ１時間よりも長い時間Ｔ３以上継続して流れたら、炊き上げと判断してオートオフタイマー２０を作動し、
そのオートオフタイマー２０の設定時間後に送風機６を停止するようにし、
前記オートオフタイマー２０の設定時間経過前に基準電流値以上の電流がＴ１時間以上連続して流れたらオートオフタイマー２０をキャンセルし、その後は前述の動作を繰り返すようにしたことを特徴とする電気炊飯器収納庫の送風機運転制御方法。
【請求項２】
前記各時間Ｔ１，Ｔ２，Ｔ３を電気炊飯器の種類に応じて設定するようにした請求項１記載の電気炊飯器収納庫の送風機運転制御方法。
【発明の詳細な説明】
【０００１】
【発明の属する技術分野】
本発明は、電気炊飯器を収納する収納庫の送風機を運転制御する方法に関する。
【０００２】
【従来の技術】
近年、一般家庭等において台所の美観を向上させる為にシステムキッチンが多く採用されている。この傾向に伴い電気炊飯器を調理台等に載せずに収納庫に収納して電気炊飯器を見えないようにすることが行なわれている。
【０００３】
電気炊飯器を収納庫に収納した状態で炊飯すると庫内に湯気、熱気、臭気が充満する。特に、湯気の発生により庫内が結露し電気炊飯器の安全性、耐久性が損われることがある。
【０００４】
このことを解消するために、収納庫に送風機を取付け、炊飯時に送風機を運転して庫内の湯気、熱気、臭気等を排出する収納庫が提案されている。
【０００５】
例えば、実公昭６１−３７３１７号公報に示すように、電気炊飯器に流れる電流値を検出する電流検出回路と、この電流検出回路で検出した電流でＯＮ，ＯＦＦするリレースイッチと、庫内の空気を排出する送風機を備え、リレースイッチがＯＮすると送風機に電流が流れて運転し、リレースイッチがＯＦＦすると送風機が停止する収納庫が提案されている。
【０００６】
この収納庫であれば、電気炊飯器の炊飯開始によって送風機が運転開始し、炊飯終了によって送風機が停止するから炊飯時に庫内の湯気、熱気、臭気等を自動的に排出することができる。
【０００７】
【発明が解決しようとする課題】
前述の収納庫は、電気炊飯器に流れる電流値が所定値よりも大きいと送風機が運転開始し、その電流値が所定値よりも小さいと送風機が停止するので、炊飯開始から炊飯終了まで一定した値の電流を連続して通電する電気炊飯器であれば何ら問題がない。
【０００８】
近年、炊飯開始から炊飯終了まで一定した値の電流を間欠的に通電する電気炊飯器や、タイマーを備え炊飯開始時間を予約できるようにした炊飯予約機能付き電気炊飯器が実用化されている。
【０００９】
前述の電気炊飯器であると、先に述べたように電流値の大小で送風機を運転・停止すると、送風機が誤動作して炊飯中に送風機を連続して運転できない。
【００１０】
例えば、一定した値の電流を間欠的に通電する電気炊飯器であると、電流が流れている時には送風機が運転するが、電流が流れない時には送風機が停止してしまう。また、炊飯予約機能付き電気炊飯器であると、タイマーをセットして炊飯予約した時に電流が流れるから、その電流によって送風機が運転開始してしまう。
【００１１】
そこで、本発明は前述の課題を解決できるようにした電気炊飯器収納庫の送風機運転制御方法を提供することを目的とする。
【００１３】
【課題を解決するための手段】
第１の発明は、電気炊飯器１０を収納する収納室３内の空気を送風機６で外部に排出する電気炊飯器収納庫において、
電気炊飯器１０に基準電流値以上の電流がＴ１時間以上連続して流れたら炊飯開始と判断して送風機６を運転開始し、その後に前記Ｔ１時間よりも短いＴ２時未満だけ基準電流値以上の電流が間欠的にＴ１時間よりも長い時間Ｔ３以上継続して流れたら、炊き上げと判断してオートオフタイマー２０を作動し、
そのオートオフタイマー２０の設定時間後に送風機６を停止するようにし、
前記オートオフタイマー２０の設定時間経過前に基準電流値以上の電流がＴ１時間以上連続して流れたらオートオフタイマー２０をキャンセルし、その後は前述の動作を繰り返すようにしたことを特徴とする電気炊飯器収納庫の送風機運転制御方法である。
【００１５】
第２の発明は、第１の発明において、前記各時間Ｔ１，Ｔ２，Ｔ３を電気炊飯器の種類に応じて設定するようにした電気炊飯器収納庫の運転制御方法である。
【００１６】
【作    用】
第１の発明によれば、送風機６は電気炊飯器に流れる電流変化に基づき運転開始し、その後にオートオフタイマー２０の設定時間経過後に停止するので、タイマーによって炊飯開始を予約する予約機能付き電気炊飯器、所定時間間隔で間欠的に電流が流れる電気炊飯器を収納して炊飯する時に送風機が誤動作することがない。
【００１７】
また、送風機６の運転開始は、電流変化による炊飯開始の検知によるし、送風機６の停止はオートオフタイマー２０の設定時間経過後であり、そのオートオフタイマー２０の作動は電流変化による炊き上げ終了であるから、炊飯開始から炊き上げまでの時間が変化しても送風機６を炊飯終了後に停止できる。
【００１８】
これによって、白米、玄米、おかゆ等の炊飯状態が異なる場合でも正しく送風機を運転・停止できる。
【００１９】
また、基準電流値以上の電流がＴ１時間以上連続して流れたら炊飯開始と判断し、その後に前記Ｔ１時間よりも短いＴ２時未満だけ基準電流値以上の電流が間欠的にＴ１時間よりも長い時間Ｔ３以上継続して流れたら、炊き上げと判断するので、炊飯開始、炊き上げ終了を正確に検出できるから、送風機が誤動作することを確実に防止できる。
【００２０】
また、オートオフタイマー２０の設定時間経過前に電気炊飯器を入れ換えて炊飯する場合に、先の炊飯により作動したオートオフタイマー２０の設定時間経過しても送風機６が停止することがない。
【００２１】
これによって、電気炊飯器を入れ換えて連続的に炊飯する場合でも送風機６が誤動作することがない。
【００２２】
第２の発明によれば、間欠的に通電する電流の時間間隔が異なる種々の電気炊飯器を収納庫に収納して炊飯する場合でも送風機が誤動作することがない。
【００２３】
【発明の実施の形態】
図１に示すように、収納庫本体１内は隔壁２で収納室３と補助収納室４に区画され、その収納室３は扉５で開閉される。前記補助収納室４には送風機６が取付けてあり、この送風機６は電動モータ７でファン８を回転するもので、その吸収側は収納室３に開口し、吐出側はダクト９で外部に開口している。
【００２４】
電気炊飯器１０は電源プラグ１１を備え、この電源プラグ１１は収納室３に取付けた電源端子部１２に差し込み、抜き出し自在である。前記電源端子部１２は電源コード１３に接続している。
【００２５】
電気炊飯器１０は図２に示すようにタイマー１４などを備えた操作部１５と電流制御部１６を備え、この電流制御部１６によって発熱部１７に電流を流したり、停止したりする。
【００２６】
前記送風機６の電動モータ７はコントローラ１８を経て電源コード１３に接続している。前記電源端子部１２には電気炊飯器１０に流れる電流を検出する電流検出器１９が設けてあり、その検出電流はコントローラ１８に送られる。
【００２７】
前記コントローラ１８はオートオフタイマー２０を備えていると共に、電流検出器１９の検出電流値によって電動モータ７に通電したり、オートオフタイマー２０をセットする。前記コントローラ１８は図３に示すように所定以上の基準電流値Ｉ1 が入力された時にはＨｉと判断し、それ以下の時にはＬｏと判断する。
【００２８】
前記コントローラ１８には切換スイッチなどの調整手段２１から切換え信号が入力され、前述のオートオフタイマー２０のセット時間、Ｈｉ，Ｌｏと判断する時の基準電流値、後述する時間Ｔ1 ，Ｔ2 ，Ｔ3 を変更できるようにしてある。
【００２９】
次に作動とともに各部の詳細を説明する。
電気炊飯器１０を収納室３内に入れて電源プラグ１１を電源端子部１２に差し込み、タイマー１４をセットする。
タイマー１４をセットすることで電流が所定時間流れ、セット時間経過すると電流が流れて炊飯開始し、炊飯終了まで任意時間毎に間欠的に電流が流れ、それ以後は保温となって長い時間間隔で電流が間欠的に流れる。
【００３０】
前述の電気炊飯器１０に基準電流値以上の電流が流れている時にコントローラ１８は図３に示すようにＨｉと判断し、このＨｉと判断する時間のタイミング（つまり、電気炊飯器に電流が流れるタイミング）は図４に示すようになる。
【００３１】
具体的には、タイマー１４をセットした時には予約電流としてＴ1 時間未満Ｈｉとなり、炊飯開始するとＴ1 時間以上Ｈｉとなり、それ以後に前炊き時にはＴ2 時間以上Ｔ1 時間未満及びＴ2 時間未満だけ間欠的にＨｉとなる。炊き上げ時にはＴ1 時間以上Ｈｉ，Ｔ2 時間以上Ｔ1 未満、Ｔ2 時間未満だけ間欠的にＨｉとなる。そして炊き上げ終了近くとなるとＴ2 時間未満間欠的にＨｉとなることがＴ3 時間以上継続する。むらし時にはＴ2 時間以上Ｔ1 時間未満間欠的にＨｉとなり、炊飯終了すると保温となって、Ｔ2 時間未満間欠的にＨｉとなる。
【００３２】
以上の説明で、Ｔ1 は１０秒、Ｔ2 は２秒、Ｔ3 は３分である。
【００３３】
すなわち、電気炊飯器１０にはタイマーセット時に短かい時間だけ電流が流れ、炊飯開始すると長時間電流が流れた後に短い時間だけ間欠的に電流が流れる。炊き上げ終了近くには最も短かい時間だけ電流が流れることが所定時間継続する。むらし、保温時には短かい時間だけ間欠的に電流が流れる。
【００３４】
コントローラ１８はＨ1 と判断すると第１のタイマーと第２のタイマーがカウント開始してＨｉの連続する時間をカウントとし、Ｔ1 時間以上Ｈｉが連続する（つまり、電流検出回路１９からＴ1 時間以上基準電流値以上の電流が入力される）と第１のタイマーがカウントアップし、それによって電動モータ７に通電開始して送風機６を運転開始する。そして、Ｈｉ信号がＴ2 時間未満であると第２のタイマーがカウントアップし、それによって第３のタイマーがカウント開始し、Ｔ2 時間未満Ｈｉ信号が間欠的に入力されることがＴ3 時間以上継続すると第３のタイマーがカウントアップし、それによってオートオフタイマー２０を作動する。オートオフタイマー２０がカウントアップ（Ｔ4 時間経過）すると電動モータ７への通電を止めて送風機６を停止する。前記Ｔ4 時間は５０分であり、炊き上げ終了から炊飯終了までの時間よりも長い。
【００３５】
次に、炊飯終了後に直ちに電気炊飯器１０を収納庫から取り出し、新らしい電気炊飯器１０を収納庫に収納して連続的に炊飯する場合の動作を説明する。
【００３６】
この場合には図５に示すように電子炊飯器入れ換え後に前述の動作が繰り返しされるが、オートオフタイマー２０が作動状態を継続しているから、Ｔ4 時間経過するとオートオフタイマー２０がオフして送風機６が停止してしまう。
【００３７】
このために、コントローラ１８にＴ4 時間経過（つまり、オートオフタイマーがカウントアップ）する以前にＴ1 時間以上Ｈｉ信号が連続して入力（つまり、第１のタイマーがカウントアップ）されたら、オートオフタイマー２０のカウント動作をキャンセル（クリア）してＴ4 時間経過しても送風機６が停止しないようにする。
【００３８】
これによって、オートオフタイマー２０に関係なく送風機６を連続して運転でき、それ以後は図４に示すと同様にしてオートオフタイマー２０が作動され、そのオートオフタイマー２０がオフ（カウントアップ）すると送風機が停止する。以上の動作をフローチャートで示すと図６に示すようになる。
【００３９】
また、調整手段２１によって前述の各時間Ｔ1 ，Ｔ2 ，Ｔ3 ，Ｔ4 及び基準電流値を変更できるので、通電制御が異なる電気炊飯器に応じて各時間、基準電流値を設定できる。
【００４０】
なお、電流検出器１９でＨｉ，Ｌｏ信号をコントローラ１８に送っても良い。
【００４１】
【発明の効果】
請求項１に係る発明によれば、送風機６は電気炊飯器に流れる電流変化に基づい運転開始し、その後にオートオフタイマー２０の設定時間経過後に停止するので、タイマーによって炊飯開始を予約する予約機能付き電気炊飯器、所定時間間隔で間欠的に電流が流れる電気炊飯器を収納して炊飯する時に送風機が誤作動することがない。
【００４２】
また、送風機６の運転開始は電流変化による炊飯開始の検知によるし、送風機６の停止はオートオフタイマー２０の設定時間経過後まであり、そのオートオフタイマー２０の作動は電流変化による炊き上げ終了であるから、炊飯開始から炊き上げまでの時間が変化しても送風機６を炊飯終了後に停止できる。
【００４３】
これによって、白米、玄米、おかゆ等の炊飯状態が異なる場合でも正しく送風機を運転・停止できる。
【００４４】
また、基準電流値以上の電流がＴ１時間以上連続して流れたら炊飯開始と判断して送風機６を運転開始し、その後に前記Ｔ１時間よりも短いＴ２時未満だけ基準電流値以上の電流が間欠的にＴ１時間よりも長い時間Ｔ３以上継続して流れたら、炊き上げと判断するので、炊飯開始、炊き上げ終了を正確に検出できるから、送風機が誤動作することを確実に防止できる。
【００４５】
また、オートオフタイマー２０の設定時間経過前に電気炊飯器を入れ換えて炊飯する場合に、先の炊飯により作動したオートオフタイマー２０の設定時間経過しても送風器６が停止することがない。
【００４６】
これによって、電気炊飯器を入れ換えて連続的に炊飯する場合でも送風機６が誤動作することがない。
【００４７】
請求項２に係る発明によれば、間欠的に通電する電流の時間間隔が異なる種々の電気炊飯器を収納庫に収納して炊飯する場合でも送風機が誤動作することがない。
【図面の簡単な説明】
【図１】電気炊飯器を収納する収納庫の断面図である。
【図２】制御ブロック図である。
【図３】電流検出の動作説明図である。
【図４】炊飯時の電流と送風機運転の関係を示す表図である。
【図５】連続して炊飯する時の電流と送風機運転の関係を示す表図である。
【図６】動作フローチャートである。
【符号の説明】
１…収納庫本体、３…収納室、６…送風機、７…電動モータ、８…ファン、１０…電気炊飯器、１２…電源端子部、１５…操作部、１６…電動制御部、１７…発熱部、１８…コントローラ、１９…電流検出器、２０…オートオフタイマー、２１…調整手段。
【図１】
0003837640.tif 000002
【図２】
0003837640.tif 000003
【図３】
0003837640.tif 000004
【図４】
0003837640.tif 000005
【図５】
0003837640.tif 000006
【図６】
0003837640.tif 000007